(57)【特許請求の範囲】
【請求項１】
パネル表面材と、パネル表面材の幅方向の両端部に設けた縦框と、パネル表面材の幅方向の中間部位に設けた１本以上の中框と、からなるパネルの補強構造において、
前記パネル表面材は、横長方形状の見付面と、上面と、下面と、前記上面から前記見付面に対向するように下方に延びる上側垂直辺と、前記下面から前記見付面に対向するように上方に延びる下側垂直辺と、前記上側垂直辺の下端に形成された上側係合部と、前記下側垂直辺の上端に形成された下側係合部と、を備え、
前記中框は、見付辺と、左右の見込辺と、を備え、前記見付辺の上方部位、下方部位は、それぞれ、前記左右の見込辺の上下端よりも上方、下方に延びており、
前記左右の見込辺の各見込辺の上端において、前記見付辺に近い側に上側係合溝が形成されており、前記左右の見込辺の各見込辺の下端において、前記見付辺に近い側に下側係合溝が形成されており、
前記パネル表面材と前記中框は、前記上側垂直辺、前記下側垂直辺を、それぞれ、前記見付辺の上方部位、下方部位に当接させ、前記パネル表面材の上側係合部、下側係合部を、それぞれ、前記中框の前記上側係合溝、前記下側係合溝に係合させた状態で、前記上側垂直辺と前記見付辺の上方部位、前記下側垂直辺と前記見付辺の下方部位をそれぞれ連結してなる、パネルの補強構造。
【請求項２】
前記上側係合部は、前記上側係合溝に係合した状態で、当該上側係合溝の底辺と側辺の両方に当接し、
前記下側係合部は、前記下側係合溝に係合した状態で、当該下側係合溝の上辺と側辺の両方に当接している、請求項１に記載のパネルの補強構造。
【請求項３】
前記パネルには、当該パネルの幅方向の中央部位に位置して、パネルの全長に対して短尺の横材が設けてあり、前記横材は、当該パネルの幅方向の中央部位に位置する中框に対して固定されている、請求項１あるいは２に記載のパネルの補強構造。
【請求項４】
請求項１〜３いずれか１項に記載の補強構造を備えた上側パネルと下側パネルの連結構造であって、
上側パネルと下側パネルは、水平状の回転軸部を介して互いに回動自在な上側プレートと下側プレートとを備えた丁番を用いて連結されており、
前記丁番の上側プレートは、上側パネルのパネル表面材の下側垂直辺に当接する上側パネルの中框の見付辺の下方部位に取り付けられており、
前記丁番の下側プレートは、下側パネルのパネル表面材の上側垂直辺に当接する下側パネルの中框の見付辺の上方部位に取り付けられている、上側パネルと下側パネルの連結構造。
【発明の詳細な説明】
【技術分野】
【０００１】
本発明は、パネルの補強構造及び当該補強構造を備えたパネルの連結構造に関するものである。
【背景技術】
【０００２】
パネルシャッターの１つであるオーバーヘッドドアの扉体は、開口幅方向に延びる横長のパネルを上下に連結することで形成されている。図１４、図１５は、従来のオーバーヘッドドアのパネル２´を示しており、パネル２´は、パネル表面材６´と、パネル表面材６´の幅方向の両端部に設けた縦框７´と、パネル表面材６´の幅方向の中間部位に設けた複数本の中框８´と、を備えている。また、パネル２´の長さ方向全体に亘って横材１２´が設けてある。
【０００３】
中框８´、横材１２´は、パネルの強度を確保するために設けるものであるが、パネルの強度を決定する要素には、その他に、パネル表面材の形状、パネル表面材の板厚、パネル表面材の見込寸法（パネルの厚さ）等の様々な要素があり、これらの要素を適宜選択して組み合わせることで所望の強度を備えたパネルを製作している。特許文献１、２にもパネルに強度を付与するための工夫が開示されている。
【０００４】
パネルの強度を向上させるにあたっては、製作コストの削減やパネル重量の軽量化等の理由から、パネル表面材の板厚やパネルの厚さを増加させるのではなく、より少ない材料、より少ない部品点数で所望の強度が確保できることが望ましい。
【特許文献１】特開２００１−３１１３７０
【特許文献２】特開２００５−２２６２５０
【発明の開示】
【発明が解決しようとする課題】
【０００５】
本発明は、パネル表面材と中框の連結に特徴を持たせることで、パネル強度を向上させることを目的とするものである。
【課題を解決するための手段】
【０００６】
本発明は、パネル表面材と、パネル表面材の幅方向の両端部に設けた縦框と、パネル表面材の幅方向の中間部位に設けた１本以上の中框と、からなるパネルの補強構造に係り、
前記パネル表面材は、横長方形状の見付面と、上面と、下面と、前記上面から前記見付面に対向するように下方に延びる上側垂直辺と、前記下面から前記見付面に対向するように上方に延びる下側垂直辺と、前記上側垂直辺の下端に形成された上側係合部と、前記下側垂直辺の上端に形成された下側係合部と、を備え、
前記中框は、見付辺と、左右の見込辺と、を備え、前記見付辺の上方部位、下方部位は、それぞれ、前記左右の見込辺の上下端よりも上方、下方に延びており、
前記左右の見込辺の各見込辺の上端において、前記見付辺から離間した部位に上側突部を突成させることで、前記見付辺に近い側に上側係合溝が形成されており、
前記左右の見込辺の各見込辺の下端において、前記見付辺から離間した部位に下側突部を突成させることで、前記見付辺に近い側に下側係合溝が形成されており、
前記パネル表面材と前記中框は、前記上側垂直辺、前記下側垂直辺を、それぞれ、前記見付辺の上方部位、下方部位に当接させ、前記パネル表面材の上側係合部、下側係合部を、それぞれ、前記中框の前記上側係合溝、前記下側係合溝に係合させた状態で、前記上側垂直辺と前記見付辺の上方部位、前記下側垂直辺と前記見付辺の下方部位をそれぞれ連結してなる。
【０００７】
１つの態様では、前記上側係合部は、前記上側係合溝に係合した状態で、当該上側係合溝の底辺と側辺の両方に当接し、
前記下側係合部は、前記下側係合溝に係合した状態で、当該下側係合溝の上辺と側辺の両方に当接している。
より具体的な態様では、
各見込辺の上端において、前記見付辺から離間した部位に上側突部を突成させることで、前記見付辺に近い側に上側係合溝が形成されており、前記上側係合溝の底辺は、見込辺の上縁の前記見付辺に近い側の部位（後述する実施形態における水平縁）からなり、前記上側係合溝の側辺は、上側突部の見付辺に対向する側縁（後述する実施形態における垂直縁）からなる。前記上側係合部は、前記上側係合溝の底辺及び側辺に当接するような形状（底辺に当接する第１部分と側辺に当接する第２部分を有する）を備えており、
各見込辺の下端において、前記見付辺から離間した部位に下側突部を突成させることで、前記見付辺に近い側に下側係合溝が形成されており、
前記下側係合溝の上辺は、見込辺の下縁の前記見付辺に近い側の部位（後述する実施形態における水平縁）からなり、前記下側係合溝の側辺は、下側突部の見付辺に対向する側縁（後述する実施形態における垂直縁）からなる。前記下側係合部は、前記下側係合溝の上辺及び側辺に当接するような形状（上辺に当接する第１部分と側辺に当接する第２部分を有する）を備えている。
１つの態様では、前記パネルには、当該パネルの幅方向の中央部位に位置して、パネルの全長に対して短尺の横材が設けてあり、前記横材は、当該パネルの幅方向の中央部位に位置する中框に対して固定されている。
【０００８】
１つの態様では、本発明は、上記補強構造を備えた上側パネルと下側パネルの連結構造であって、
上側パネルと下側パネルは、水平状の回転軸部を介して互いに回動自在な上側プレートと下側プレートとを備えた丁番を用いて連結されており、
前記丁番の上側プレートは、上側パネルのパネル表面材の下側垂直辺に当接する上側パネルの中框の見付辺の下方部位に取り付けられており、
前記丁番の下側プレートは、下側パネルのパネル表面材の上側垂直辺に当接する下側パネルの中框の見付辺の上方部位に取り付けられている。
後述する実施形態に記載のように、典型的には、丁番はパネル（中框）の屋内側部位に取り付けられる。
【発明の効果】
【０００９】
本発明では、中框の上下端に上側係合溝、下側係合溝を設け、パネル表面材に形成した上側係合部、下側係合部がそれぞれ、中框の上側係合溝、下側係合溝に係合するようにしたので、扉体に風圧等が作用した場合に、パネル面に対する垂直方向の力を中框が良好に負担することで、パネル表面材の変形を可及的に防止し、パネルの有効断面形状を効果的に確保し、耐風圧強度の向上を図ることができる。
特に、係合状態において、上側係合部、下側係合部がそれぞれ複数箇所で上側係合溝、下側係合溝に当接するようにして、力点を多く確保することで、中框による負荷力の向上を図ることができる。
【００１０】
パネル表面材と中框の連結に特徴を持たせてパネル強度を向上させることによって、従来と同じパネル強度を備えたパネルであっても、他の要素の設計自由度を大きくすることができる。具体的には、中框の板厚を現行の板厚より薄くしても、現行のパネルと同等以上の強度を確保することができる。また、パネル強度を落とすことなく、パネルの全体を厚さ（見込寸法）を小さくすることができる。また、パネルの幅寸法（長さ寸法）によっては、パネル強度を落とすことなく、補強用の横材を無くすことができ、あるいは部分的に横材を設けるだけでよい。また、パネル強度を向上させることによって、従来のパネルでは設置できなかった大開口に設置し得るパネルを提供することができ、従来のパネルに比べて使用範囲を広げることができる。
【００１１】
本発明では、パネル表面材の変形を可及的に防止することで、鉛直方向に対する強度も向上し、繰り返される扉体の開閉に対するパネルの耐久性が向上する。
さらに、扉体が複数枚のパネルを丁番を介して連結して構成されている場合に、上記補強構造を備えた上側パネルと下側パネルの連結構造において、上側垂直辺に形成された上側係合部、下側垂直辺に形成された下側係合部が、上側係合溝、下側係合溝に係合しているので、この係合部位によって上側垂直辺、下側垂直辺に作用する力に対抗することができ、パネル表面材の変形を防止して、パネルの強度を向上させ、また、パネルの変形に伴って丁番に作用するであろう無理な力を軽減できるので、丁番の摩耗を低減することができる。
【図面の簡単な説明】
【００１２】
【図１】開口部全閉状態にあるオーバーヘッドドアを背面側（屋内側）から見た正面図である。
【図２】開口部全閉状態にあるオーバーヘッドドアの側面図である。
【図３】開口部全閉状態にあるオーバーヘッドドアにおける、上下隣位のパネル（中框）同士の連結を示す部分拡大図である。
【図４】開口部全閉状態にあるオーバーヘッドドアにおける、上下隣位のパネル（縦框）同士の連結を示す部分拡大図である。
【図５】オーバーヘッドドアのパネルの平面図及び背面図である。
【図６】パネル表面材の縦断面図及び上側垂直辺の下端の係合部の拡大図である。
【図７】縦框の平面図、背面図（屋内側から見た図）、側面図である。
【図８】中框の平面図、背面図（屋内側から見た図）、側面図である。
【図９】左図は中框におけるパネルの側面図、右図は縦框におけるパネルの側面図である。
【図１０】図９の中框におけるパネルの側面図の部分拡大図である。
【図１１】図５の平面図の中框を含む部位の部分拡大図である。
【図１２】図１２は、パネルの長さ方向に延びる補強用の横材を備えた態様を示している。
【図１３】補強用の横材を示す図である。
【図１４】従来のパネルの縦断面図である。
【図１５】従来のパネルの背面図である。
【発明を実施するための形態】
【００１３】
図１、図２は全閉姿勢にあるオーバーヘッドドアを屋内側から見た正面図、側面図であり、オーバーヘッドドアは、建物開口部の左右に立設したガイドレール１と、複数枚のパネル２を丁番３Ａ、３Ｂを介して上下方向に互いに回動可能に連結して構成された扉体と、を備えている。各パネル２の幅方向の両端部にはガイドローラ４が設けてあり、ガイドローラ４がガイドレール１内を転動することで、扉体の左右両端部がガイドレール１に沿って昇降案内されて開口部を開閉する。図示の例では、ガイドレール１の上方部位は後方に向かって湾曲し、さらに天井面に沿って略水平状に延びており、ガイドレール１は開口部の高さ方向に延びる立ち上がり部１Ａと、湾曲部１Ｂと、水平部１Ｃとからなる。開口部全閉時には扉体はガイドレール１の立ち上がり部１Ａに位置することで垂直姿勢にあり、この状態から扉体が水平部１Ｃに位置する水平姿勢まで引き上げられて開口部が開放される。
【００１４】
実施形態のオーバーヘッドドアは電動式オーバーヘッドドアであり、非常時には手動による操作も可能となっている。開口部の上方には、バランスプリング５０を備えた回転軸５が配設されており、回転軸５の両端部に軸支したドラム５１に一端をそれぞれ固定した巻き取りワイヤの他端を、最下位のパネル２の左右両端にそれぞれ接続して、バランススプリング５０の巻き上げ方向の付勢力により扉体を開放方向（上方）に付勢するように構成されている。
【００１５】
図５は、本実施形態に係るパネル２の背面図であり、パネル２は、開口幅方向に横長長方形状のパネル表面材６と、パネル表面材６の幅方向両端部に設けた左右の縦框７と、パネル表面材６の幅方向（長さ方向）に間隔を存して設けた複数本の中框８と、を備えている。中框８は、扉体が設置される開口幅、すなわち、パネル２の長さ寸法に応じて、１本以上設けられる。１つの態様では、中框８は、パネル２の長さ方向に１ｍ程度の間隔を存して設けられる。例えば、パネル２の長さ寸法が４ｍ、５ｍ、６ｍであれば、中框８はそれぞれ３本、４本、５本設けられる。図１、図４に示すように、上下隣位のパネル２の縦框７同士が丁番３Ｂで連結され、図１、図３に示すように、中框８同士が丁番３Ａで連結されている。丁番３Ａは、水平状の回転軸部３０Ａを介して互いに回動自在な上側プレート３１Ａと下側プレート３２Ａと、からなり、上側プレート３１Ａが上側に位置するパネル２の化框８の屋内側見付辺８０に取り付けられ、下側プレート３２Ａが下側に位置するパネル２の中框８の屋内側見付辺８０に取り付けられる。丁番３Ｂは、水平状の回転軸部３０Ｂを介して互いに回動自在な上側プレート３１Ｂと下側プレート３２Ｂと、上側プレート３１Ｂが上側に位置するパネル２の縦框７の屋内側見付辺７０に取り付けられ、下側プレート３２Ｂが下側に位置するパネル２の縦框７の屋内側見付辺７０に取り付けられる。
【００１６】
図６は、パネル表面材６の縦断面図であり、パネル表面材６は、横長長方形状の屋外側見付面６０と、屋外側見付面６０の上端から屋内側へ向かって延びる上面６１と、上面６１の屋内側端部から下方に向かって垂下する上側垂直辺６２と、屋外側見付面６０の下端から屋内側へ向かって延びる下面６３と、下面６３の屋内側端部から上方に垂直に立ち上がる下側垂直辺６４と、からなる。上面６１と下面６３の奥行寸法は同じであり、上側垂直辺６２と下側垂直辺６４は同一鉛直面上に位置している。
【００１７】
屋外側見付面６０には、２つの断面視台形状の凹部６００がパネル表面材６の幅方向に亘って水平状に形成されている。２つの凹部６００はパネル表面材６の高さ方向に間隔を存して形成されている。凹部６００の深さ、すなわち、屋外側見付面６０の表面と凹部６００の底面６００Ａとの距離は、パネル表面材６の見込寸法（厚み寸法）、すなわち、上面６１、下面６３の奥行寸法よりも小さい。すなわち、底面６００Ａを通る鉛直面は、上側垂直辺６２と下側垂直辺６４を通る鉛直面よりも屋外側に位置している。
【００１８】
屋外側見付面６０には、さらに、屋外側見付面６０の上端と上側の凹部６００との間、２つの凹部６００間、下側の凹部６００と屋外側見付面６０の下端との間、にそれぞれ位置して、断面視略半円状の小凹部６０１がパネル表面材６の幅方向に亘って水平状に形成されている。
【００１９】
上面６１は、水平状の屋外側部位６１０と水平状の屋内側部位６１１とから段部状に形成されており、屋内側部位６１１の高さ位置は屋外側部位６１０の高さ位置よりも高くなっている。下面６３は、水平状の屋外側部位６３０と水平状の屋内側部位６３１とから段部状に形成されており、屋内側部位６３１の高さ位置は屋外側部位６３０の高さ位置よりも高くなっている。上面６１の屋外側部位６１０の奥行寸法は下面６３の屋外側部位６３０の奥行寸法よりも大きく、上面６１の屋内側部位６１１の奥行寸法は下面６３の屋内側部位６３１の奥行寸法よりも小さい。扉体が全閉姿勢にある時には、上下隣位の２枚のパネル２において、上側のパネル２のパネル表面材６の下面６３の屋外側部位６３０、屋内側部位６３１が、それぞれ、下側のパネル２のパネル表面材６の上面６１の屋外側部位６１０、屋内側部位６１１に当接して載るようになっている（図３左図参照）。
【００２０】
上側垂直辺６２の下端には、上側垂直辺６２の下端側を屋外側（屋外側見付面６０）へ折り曲げることで上側係合部６５が形成されている。図６、図１０に示すように、上側係合部６５は、上側垂直辺６２の下端から屋外側へ向かう水平部６５０と、水平部６５０の屋外側を上方に湾曲状（屋外側に膨出している）に折り曲げてなる湾曲部６５１と、を備えている。
【００２１】
下側垂直辺６４の上端には、下側垂直辺６４の上端側を屋外側（屋外側見付面６０）へ折り曲げることで下側係合部６６が形成されている。図１０に示すように、下側係合部６６は、下側垂直辺６４の上端から屋外側へ向かう水平部６６０と、水平部６６０の屋外側を下方に湾曲状（屋外側に膨出している）に折り曲げてなる湾曲部６６１と、を備えている。
【００２２】
図７に示すように、縦框７は、屋内側見付辺７０と、屋内側見付辺７０の幅方向の一側から屋外側に延びる外側見込辺７１と、屋内側見付辺７０の幅方向の他側から屋外側に延びる内側見込辺７２と、外側見込辺７１の屋外側端部から屋内側見付辺７０に対向して平行状に延びる屋外側見付辺７３と、からなる。
【００２３】
縦框７の外側見込辺７１（屋内側見付辺７０と屋外側見付辺７３の間の距離）は、パネル表面材６の見込寸法（厚さ）よりも僅かに大きい寸法を備えており、屋内側見付辺７０と屋外側見付辺７３の間にパネル表面材６の幅方向端部を受け入れて連結するようになっている。図９右図に示すように、パネル表面材６の屋外側見付面６０の表面は、屋外側見付辺７３の内面に接触しており、パネル表面材６の上側垂直辺６２、下側垂直辺６４は、屋内側見付辺７０の内面に当接している。
【００２４】
外側見込辺７１はパネル２の幅方向の両端面、すなわち、側面（見込面）を形成している。外側見込辺７１の上端７１０、下端７１１は、互いに対応するような段部状に形成されており、扉体が全閉姿勢にある時には、上下隣位の２つのパネル２において、上側のパネル２の縦框７の外側見込辺７１の下端７１１が、下側のパネル２の縦框７の外側見込辺７１の上端７１０に近接ないし当接するようになっている（図４左図参照）。
【００２５】
内側見込辺７２の見込寸法は、外側見込辺７１の見込寸法よりも遥かに小さいと共に、屋内側見付辺７０、外側見込辺７１、屋外側見付辺７３に比べて高さ方向に短尺である。より具体的には、内側見込辺７２の上端７２０の高さ位置は、屋内側見付辺７０の上端７００、外側見込辺７１の上端７１０、屋外側見付辺７３の上端７３０の高さ位置よりも低く、内側見込辺７２の下端７２１の高さ位置は、屋内側見付辺７０の下端７０１、外側見込辺７１の下端７１１、屋外側見付辺７３の下端７３１の高さ位置よりも高い。図９右図に示すように、内側見込辺７２の高さ寸法は、パネル表面材６の上側垂直辺６２の下端に形成した上側係合部６５と、下側垂直辺６４の上端に形成した下側係合部６６間の寸法に対応しており、内側見込辺７２の上端７２０、下端７２１は、それぞれ、パネル表面材６の上側係合部６５（水平部６５０）、下側係合部６６（水平部６６０）に当接している。
【００２６】
図８に示すように、中框８は、屋内側見付辺８０と、屋内側見付辺８０の幅方向の一側から屋外側に延びる第１の見込辺８１と、屋内側見付辺８０の幅方向の他側から屋外側に延びる第２の見込辺８２と、第１の見込辺８１の屋外側先端から第２の見込辺８２に対して離間する方向に屋内側見付辺８０と平行状に延びる屋外側見付辺８３と、からなる。第１の見込辺８１の見込寸法は、第２の見込辺８２の見込寸法よりも大きい。
【００２７】
第１の見込辺８１、第２の見込辺８２は同じ高さ寸法を備えていると共に、第１の見込辺８１の上端、第２の見込辺８２の上端の高さ位置は、屋内側見付辺８０の上端８００の高さ位置よりも低く、第１の見込辺８１の下端、第２の見込辺８２の下端の高さ位置は、屋内側見付辺８０の下端８０１の高さ位置よりも高い。屋内側見付辺８０において、上端８００と、第１の見込辺８１の上端、第２の見込辺８２の上端と、の間の上方部位８０Ａは、パネル表面材６の上側垂直辺６２に対応しており、下端８０１と、第１の見込辺８１の下端、第２の見込辺８２の下端と、の間の下方部位８０Ｂは、パネル表面材６の下側垂直辺６４に対応している。
【００２８】
第１見込辺８１の上端は、屋内側見付辺８０の上端８００より（上側垂直辺６２の高さ寸法分）下方に位置した部位から屋外側に向かって水平状に延びる基端側（屋内側見付辺８０寄り）の水平縁８１０と、水平縁８１０に対して屋外側に位置して水平縁８１０よりも上方に延びた上側突部８１１と、からなり、上側突部８１１は、屋内側見付辺８０に対向する立ち上がり状の垂直縁９０を備えている。水平縁８１０と、上側突部８１１の垂直縁９０と、屋内側見付辺８０の上方部位８０Ａの面部と、でパネル表面材６の上側垂直辺６２の下端に形成された上側係合部６５が係合する上側係合溝が形成されている。
【００２９】
図１０左図に示すように、上側係合部６５が前記上側係合溝に係合した状態において、上側係合部６５の水平部６５０が上側係合溝の水平縁８１０に上方から当接しており、上側係合部６５の湾曲部６５１が上側係合溝の垂直縁９０に当接しており、上側垂直辺６２の面部が屋内側見付辺８０の上方部位８０Ａの面部に当接している。上側係合部６５が前記上側係合溝に係合した状態において、上側垂直辺６２と屋内側見付辺８０の上方部位８０Ａは重ね合わせた状態でブラインドナット１０により一体化されている。
【００３０】
第１見込辺８１の下端は、屋内側見付辺８０の下端８０１より（下側垂直辺６４の高さ寸法分）上方に位置した部位から屋外側に向かって水平状に延びる基端側（屋内側見付辺８０寄り）の水平縁８１２と、水平縁８１２に対して屋外側に位置して水平縁８１２より下方に延びた下側突部８１３と、からなり、下側突部８１３は、屋内側見付辺８０に対向する垂下状の垂直縁９１を備えている。水平縁８１２と、下側突部８１３の垂直縁９１と、屋内側見付辺８０の下方部位８０Ｂの面部と、でパネル表面材６の下側垂直辺６４の上端に形成された下側係合部６６が係合する下側係合溝が形成されている。
【００３１】
図１０右図に示すように、下側係合部６６が前記下側係合溝に係合した状態において、下側係合部６６の水平部６６０が下側係合溝の水平縁８１２に下方から当接しており、下側係合部６６の湾曲部６６１が下側係合溝の垂直縁９１に当接しており、下側垂直辺６４の面部が屋内側見付辺８０の下方部位８０Ｂの面部に当接している。下側係合部６６が前記下側係合溝に係合した状態において、下側垂直辺６４と屋内側見付辺８０の下方部位８０Ｂは重ね合わせた状態でブラインドナット１０により一体化されている。
【００３２】
第２見込辺８２の上端は、屋内側見付辺８０の上端８００より（上側垂直辺６２の高さ寸法分）下方に位置した部位から屋外側に向かって水平状に延びる基端側（屋内側見付辺８０寄り）の水平縁８２０と、水平縁８２０に対して屋外側に位置して水平縁８２０より上方に延びた上側突部８２１と、からなり、上側突部８２１は、屋内側見付辺８０に対向する立ち上がり状の垂直縁９２を備えている。水平縁８２０と、上側突部８２１の垂直縁９２と、屋内側見付辺８０の上方部位８０Ａの面部と、でパネル表面材６の上側垂直辺６２の下端に形成された上側係合部６５が係合する上側係合溝が形成されている。
【００３３】
図１０左図に示すように、上側係合部６５が前記上側係合溝に係合した状態において、上側係合部６５の水平部６５０が上側係合溝の水平縁８２０に上方から当接しており、上側係合部６５の湾曲部６５１が上側係合溝の垂直縁９２に当接しており、上側垂直辺６２の面部が屋内側見付辺８０の上方部位８０Ａの面部に当接している。上側係合部６５が前記上側係合溝に係合した状態において、上側垂直辺６２と屋内側見付辺８０の上方部位８０Ａは重ね合わせた状態でブラインドナット１０により一体化されている。
【００３４】
第２見込辺８２の下端は、屋内側見付辺８０の下端８０１より（下側垂直辺６４の高さ寸法分）上方に位置した部位から屋外側に向かって水平状に延びる基端側（屋内側見付辺８０寄り）の水平縁８２２と、水平縁８２２に対して屋外側に位置して水平縁８２２より下方に延びた下側突部８２３と、からなり、下側突部８２３は、屋内側見付辺８０に対向する垂下状の垂直縁９３を備えている。水平縁８２２と、下側突部８２３の垂直縁９３と、屋内側見付辺８０の下方部位８０Ｂの面部と、でパネル表面材６の下側垂直辺６４の上端に形成された下側係合部６６が係合する下側係合溝が形成されている。
【００３５】
図１０右図に示すように、下側係合部６６が前記下側係合溝に係合した状態において、下側係合部６６の水平部６６０が下側係合溝の水平縁８２２に下方から当接しており、下側係合部６６の湾曲部６６１が下側係合溝の垂直縁９３に当接しており、下側垂直辺６４の面部が屋内側見付辺８０の下方部位８０Ｂの面部に当接している。下側係合部６６が前記下側係合溝に係合した状態において、下側垂直辺６４と屋内側見付辺８０の下方部位８０Ｂは重ね合わせた状態でブラインドナット１０により一体化されている。
【００３６】
中框８の屋外側見付辺８３は、パネル表面材６の屋外側見付面６０の凹部６００の底面６００Ａに当接しており、屋外側見付辺８３と底面６００Ａは部材同士を変形させてかしめることで固定される。屋外側見付辺８３と底面６００Ａの固定手段は、かしめに限定されるものではなく、螺子等のその他の固定手段でもよい。中框８の屋内側見付辺８０の上方部位８０Ａ、下方部位８０Ｂと、パネル表面材６の上側垂直辺６２、下側垂直辺６４を一体化するブラインドナット１０には、上下隣位のパネル２を回転可能に連結する丁番３Ａを固定するための螺子１１Ａが螺入される。図３に示すように、丁番３Ａは、上下隣位のパネル２間に、上側２箇所、下側２箇所で螺子１１Ａ、１１Ｂで固定されており、丁番３Ａの回転軸部３０Ａに近い部位が、螺子１１Ａによって、中框８の屋内側見付辺８０の上方部位８０Ａ、下方部位８０Ｂ、パネル表面材６の上側垂直辺６２、下側垂直辺６４に固定されている。螺子１１Ｂは、丁番３Ａの回転軸部３０Ａから遠い部位を中框８の屋内側見付辺８０に固定している。
【００３７】
開口部全閉状態で、扉体（丁番３Ａ、３Ｂを介して回転可能に連結された複数枚のパネル２からなる）に強風等により面圧が作用した場合には、上下隣位の各パネル２を連結している丁番３Ａ、３Ｂを介してパネル２に力が作用し易いが、本実施形態では、丁番３Ａの下側プレート３２Ａ、上側プレート３１Ａが連結されている中框８の屋内側見付辺８０の上方部位８０Ａ、下方部位８０Ｂ、パネル表面材６の上側垂直辺６２、下側垂直辺６４において、上側垂直辺６２に形成された上側係合部６５、下側垂直辺６４に形成された下側係合部６６が、上側係合溝、下側係合溝に複数箇所で接触した状態で係合されているので、丁番３Ａを介してパネル２に作用する力を中框８が良好に負担することができる。
【００３８】
パネル２は、パネル表面材６の屋外側見付面６０と上面６１、下面６３、上面６１と上側垂直辺６２、下面６３と下側垂直辺６４が、それぞれ略直角に交わるように形成されており、これらの直角部分が維持されることで所定の強度を発揮するようになっている。扉体に面圧等が作用した時に、パネル表面材６のこれらの直角部分が変形すると、パネル２の強度が低下し、さらなるパネル２の変形を招き、パネル２の破壊につながるおそれがある。特に、パネル２を丁番を介して上下に連結したときに、上側に位置するパネル２のパネル表面材６の下側垂直辺６４、下側に位置するパネル２のパネル表面材６の上側垂直辺６２には、丁番３Ａの上側プレート３１Ａ、下側プレート３２Ａがそれぞれ取り付けられており（下方部位８０Ｂ、上方部位８０Ａを介して）、丁番３Ａに力が作用した場合には、上側のパネル２の下側垂直辺６４、下側のパネル２の上側垂直辺６２には、丁番３Ａの上側プレート３１Ａ、下側プレート３２Ａ（丁番３Ａは、その目的・用途から強固に形成されており、上側プレート３１Ａ、下側プレート３２Ａの板厚は、パネル表面材６及び中框８の板厚もよりも大きく強度がある）を介して力が作用し易い。本実施形態では、上側垂直辺６２に形成された上側係合部６５、下側垂直辺６４に形成された下側係合部６６が、上側係合溝、下側係合溝に複数箇所で接触した状態で係合することで、この係合部位によって上側垂直辺６２、下側垂直辺６４に作用する力に対抗し、上面６１と上側垂直辺６２の角度、下面６３と下側垂直辺６４の角度を略直角に保つことができ、パネル表面材６の変形を防止して、パネル２の強度を向上させている。
【００３９】
図１２は、開口幅方向、すなわち、パネル２の長さ方向に延びる補強用の横材１２を備えた態様を示している。図１２上図は、パネル２の全長の中央部位の両側に位置する２本の中框８間にのみ横材１２を設けた態様を示しており、図１２下図は、パネル２の全長に亘って横材１２を設けた態様を示している。パネルに対して横材を設けることは従来から行われているが、従来ではパネルの長さ全体に亘って横材を設けていたのに対して、本実施形態では、横材１２の長さ及び横材１２を設ける部位は、パネル２の長さ寸法に応じて変化し得るものであり、必ずしもパネル２の全長に亘って設ける必要がないことに留意されたい。
【００４０】
実際、強度試験を行ったところ、開口幅が５ｍ以下では、横材１２を用いる必要がなく、また、開口幅が５〜６ｍでは、パネルの長さ方向の中央部位にのみ横材１２を設けることで十分な強度が得られることがわかった。具体的な態様例では、中框８の本数が４本の場合には、パネル２の全長の中央部位の両側に位置する２本の中框８間にのみ横材１２を設ければよく、中框８の本数が５本の場合には、パネル２の全長の中央部位に位置する中框８、及び、中央の中框８の両側に位置する２本の中框８の合計３本の中框８に亘ってのみ横材１２を設ければよい。
【００４１】
図１３は、横材１２を示しており、横材１２は、屋内側見付面１２０、屋内側見付面１２０の上端から屋外側に向かって延びる上面１２１、屋内側見付面１２０の下端から屋外側に向かって延びる下面１２２、上面１２１の屋外側端部から上方に延びる上側垂直辺１２３、下面１２２の屋外側端部から下方に延びる下側垂直辺１２４と、から断面視ハット型に形成されている。横材１２は、上側垂直辺１２３、下側垂直辺１２４を、中框８の屋内側見付辺８０、縦框７の屋内側見付辺７０に当接させ、螺子（リベット、ボルト等を含む）で固定することでパネル２に設けられる。図１２上図の態様では、横材１２は、パネル２の全長の中央部位の両側に位置する２本の中框８間に跨る寸法を備えており、横材１２の両端部位の上側垂直辺１２３、下側垂直辺１２４を中框８の屋内側見付辺８０に当接させて螺子で固定してなる。図１２下図の態様では、横材１２は、パネル２の両側の縦框７間に跨る寸法を備えており、横材１２の両端部位の上側垂直辺１２３、下側垂直辺１２４を縦框７の屋内側見付辺７０、全ての中框８の屋内側見付辺８０に当接させて螺子で固定してなる。
【符号の説明】
【００４２】
２  パネル
６  パネル表面材
６０  屋外側見付面
６１  上面
６２  上側垂直辺
６３  下面
６４  下側垂直辺
６５  上側係合部
６５０  水平部
６５１  湾曲部
６６  下側係合部
６６０  水平部
６６１  湾曲部
７  縦框
８  中框
８０  屋内側見付辺
８１  第１の見込辺
８１０  水平縁
８１１  上側突部
８１２  水平縁
８１３  下側突部
８２  第２の見込辺
８２０  水平縁
８２１  上側突部
８２２  水平縁
８２３  下側突部
９０  垂直縁
９１  垂直縁
９２  垂直縁
９３  垂直縁
【図１】
0005478524.tif 000002
【図２】
0005478524.tif 000003
【図３】
0005478524.tif 000004
【図４】
0005478524.tif 000005
【図５】
0005478524.tif 000006
【図６】
0005478524.tif 000007
【図７】
0005478524.tif 000008
【図８】
0005478524.tif 000009
【図９】
0005478524.tif 000010
【図１０】
0005478524.tif 000011
【図１１】
0005478524.tif 000012
【図１２】
0005478524.tif 000013
【図１３】
0005478524.tif 000014
【図１４】
0005478524.tif 000015
【図１５】
0005478524.tif 000016